(57)【要約】【課題】容易に取り付け可能で、かつ、無線通信性能に優れた照明器具を提供する。【解決手段】照明器具１は、照明光を出射する灯具１０と、灯具１０に電力を供給する電源回路２０と、無線通信を行うことで、電源回路２０の動作を制御するための制御信号を受信する無線通信装置３０と、電源回路２０及び無線通信装置３０を保持する電源筐体４０と、灯具１０と電源筐体４０とを接続するケーブル５０と、灯具１０及び電源筐体４０の一方に固定され、他方を取り付け可能な取付具６０とを備え、取付具６０と灯具１０及び電源筐体４０の他方との少なくとも一方は、当該他方を互いに異なる複数の姿勢で保持する可変保持機構を有する。【選択図】図１
2018129223.tif 000002
【特許請求の範囲】
【請求項１】
照明光を出射する灯具と、
前記灯具に電力を供給する電源回路と、
無線通信を行うことで、前記電源回路の動作を制御するための制御信号を受信する無線通信装置と、
前記電源回路及び前記無線通信装置を保持する筐体と、
前記灯具と前記筐体とを接続するケーブルと、
前記灯具及び前記筐体の一方に固定され、他方を取り付け可能な取付具とを備え、
前記取付具及び前記他方の少なくとも一方は、前記他方を互いに異なる複数の姿勢で保持する可変保持機構を有する
照明器具。
【請求項２】
前記可変保持機構は、前記取付具及び前記他方の少なくとも一方の一部であって、押し圧力によって形状が変形可能な部分である
請求項１に記載の照明器具。
【請求項３】
前記可変保持機構は、前記取付具が備える、押し圧力によって変形可能な板状部である
請求項２に記載の照明器具。
【請求項４】
前記可変保持機構は、前記他方が備える、押し圧力によって変形可能な板状部であり、
前記板状部は、前記取付具が備える凸部又は凹部に係止する係止部を有する
請求項２に記載の照明器具。
【請求項５】
前記取付具は、
前記灯具及び前記筐体の一方に固定される固定部と、
前記灯具及び前記筐体の他方に取り付けられる取付部とを備え、
前記可変保持機構は、前記固定部と前記取付部とを回動可能に支持するヒンジ部である
請求項１に記載の照明器具。
【請求項６】
前記固定部には、貫通孔が設けられ、
前記他方は、前記ヒンジ部の回動に合わせて前記貫通孔に挿入される挿入部を備え、
前記挿入部は、前記固定部に係止する突起を有する
請求項５に記載の照明器具。
【請求項７】
前記可変保持機構は、前記取付具が備える複数の凹部であり、
前記他方は、前記複数の凹部の１つに選択的に挿入される凸部を備える
請求項１に記載の照明器具。
【請求項８】
前記複数の凹部は、前記灯具の光軸に沿った方向に並んで配置されている
請求項７に記載の照明器具。
【請求項９】
前記筐体は、外側面に少なくとも１つのスリットが設けられた金属製の筐体であり、
前記少なくとも１つのスリットは、前記無線通信装置のアンテナと電磁的に結合されてスロットアンテナとして機能する
請求項１〜８のいずれか１項に記載の照明器具。
【請求項１０】
前記照明器具は、造営材に設けられた取付孔に埋込配設される埋込型の照明器具である
請求項１〜９のいずれか１項に記載の照明器具。
【請求項１１】
請求項１〜１０のいずれか１項に記載の照明器具を複数備え、
複数の前記照明器具のうち一の照明器具の無線通信装置は、他の少なくとも１つの照明器具の無線通信装置と無線通信を行う
照明システム。
【発明の詳細な説明】
【技術分野】
【０００１】
本発明は、無線通信機能を有する照明器具、及び、当該照明器具を備える照明システムに関する。
【背景技術】
【０００２】
従来、無線通信機能を有する照明器具が知られている。例えば、特許文献１には、電源回路を収納する金属製の筐体内に収納されたアンテナを備える天井埋込型の照明器具が開示されている。
【先行技術文献】
【特許文献】
【０００３】
【特許文献１】特開２０１６−１６２７２６号公報
【発明の概要】
【発明が解決しようとする課題】
【０００４】
特許文献１に記載の照明器具では、光源を有する器具本体とアンテナを収納する電源筐体とが別体であり、電源筐体は天井ボード上に載置されている。天井裏には、一般的には、天井ボードを固定するための金属製の鋼材（いわゆるＣチャンネル）が格子状に張り巡らされているので、電源筐体の配置によっては、アンテナの通信性能が低下する。
【０００５】
これに対して、器具本体と電源筐体とを一体に接続することで、電源筐体を天井材から離すことができ、無線通信装置の通信性能を確保することが考えられる。しかしながら、器具本体と電源筐体とが一体である場合には、照明器具の全長が長くなるため、取り付けの困難性が増す。例えば、電源筐体の先端が天井にぶつかるなどして破損し、照明器具の信頼性及び安全性が低下する恐れがある。
【０００６】
そこで、本発明は、容易に取付可能で、かつ、無線通信性能に優れた照明器具、及び、当該照明器具を備える照明システムを提供することを目的とする。
【課題を解決するための手段】
【０００７】
上記目的を達成するため、本発明の一態様に係る照明器具は、照明光を出射する灯具と、前記灯具に電力を供給する電源回路と、無線通信を行うことで、前記電源回路の動作を制御するための制御信号を受信する無線通信装置と、前記電源回路及び前記無線通信装置を保持する筐体と、前記灯具と前記筐体とを接続するケーブルと、前記灯具及び前記筐体の一方に固定され、他方を取り付け可能な取付具とを備え、前記取付具及び前記他方の少なくとも一方は、前記他方を互いに異なる複数の姿勢で保持する可変保持機構を有する。
【０００８】
また、本発明の一態様に係る照明システムは、前記照明器具を複数備え、複数の前記照明器具のうち第１の照明器具の無線通信装置は、他の少なくとも１つの照明器具の無線通信装置と無線通信を行う。
【発明の効果】
【０００９】
本発明によれば、容易に取付可能で、かつ、無線通信性能に優れた照明器具などを提供することができる。
【図面の簡単な説明】
【００１０】
【図１】実施の形態１に係る照明器具の構成を示す側面図である。
【図２】実施の形態１に係る照明器具が設置された状態を示す側面図である。
【図３】実施の形態１に係る照明器具の設置方法を説明するための側面図である。
【図４】実施の形態２に係る照明器具の構成を示す側面図である。
【図５】実施の形態２に係る照明器具の電源筐体の斜視図である。
【図６】実施の形態２に係る照明器具が備える取付具の斜視図である。
【図７】実施の形態２に係る照明器具が設置された状態を示す側面図である。
【図８】実施の形態３に係る照明器具の構成を示す側面図である。
【図９】実施の形態３に係る照明器具の電源筐体の斜視図である。
【図１０】実施の形態３に係る照明器具が備える取付具の斜視図である。
【図１１Ａ】実施の形態３に係る照明器具の設置方法において、取付具の所定位置に取り付けた電源筐体を取付孔に挿入する様子を示す側面図である。
【図１１Ｂ】実施の形態３に係る照明器具の設置方法において、図１１Ａに示す例とは異なる位置に取り付けた電源筐体を、取付孔に挿入する様子を示す側面図である。
【図１２】実施の形態４に係る照明器具の構成を示す側面図である。
【図１３】実施の形態４に係る照明器具の電源筐体の斜視図である。
【図１４】実施の形態４に係る照明器具が備える取付具の斜視図である。
【図１５】実施の形態４に係る照明器具の設置前の状態を示す側面図である。
【図１６】実施の形態５に係る照明システムを示すブロック図である。
【発明を実施するための形態】
【００１１】
以下では、本発明の実施の形態に係る照明器具及び照明システムについて、図面を用いて詳細に説明する。なお、以下に説明する実施の形態は、いずれも本発明の一具体例を示すものである。したがって、以下の実施の形態で示される数値、形状、材料、構成要素、構成要素の配置及び接続形態、ステップ、ステップの順序などは、一例であり、本発明を限定する趣旨ではない。よって、以下の実施の形態における構成要素のうち、本発明の最上位概念を示す独立請求項に記載されていない構成要素については、任意の構成要素として説明される。
【００１２】
また、各図は、模式図であり、必ずしも厳密に図示されたものではない。したがって、例えば、各図において縮尺などは必ずしも一致しない。また、各図において、実質的に同一の構成については同一の符号を付しており、重複する説明は省略又は簡略化する。また、以下の実施の形態において、略平行などの「略」を用いた表現を用いている。例えば、略平行は、完全に平行であることを意味するだけでなく、実質的に平行である、すなわち、例えば数％程度の差異を含むことも意味する。他の「略」を用いた表現についても同様である。
【００１３】
（実施の形態１）
［概要］
まず、実施の形態１に係る照明器具の概要について、図１及び図２を用いて説明する。図１は、本実施の形態に係る照明器具１の構成を示す側面図である。図２は、本実施の形態に係る照明器具１が設置された状態を示す側面図である。
【００１４】
図１に示す照明器具１は、造営材に設けられた取付孔に埋込配設される埋込型の照明器具である。具体的には、図２に示すように、照明器具１は、天井材２に設けられた取付孔３に埋込配設されて、下方（床又は壁など）に光を照射する天井埋込型のダウンライトである。
【００１５】
図１に示すように、照明器具１は、灯具１０と、電源回路２０と、無線通信装置３０と、電源回路２０及び無線通信装置３０を収納する電源筐体４０と、ケーブル５０と、取付具６０とを備える。照明器具１は、電源一体型の照明器具である。つまり、灯具１０と電源筐体４０とが一体に接続されている。ここで、一体に接続とは、灯具１０及び電源筐体４０の一方が他方に固定されていることを意味する。本実施の形態に係る照明器具１では、取付具６０を介して、灯具１０と電源筐体４０とが簡易的に一体に接続されている。簡易的な接続の具体例については、後で詳細に説明する。
【００１６】
以下では、照明器具１の各構成部材の詳細について説明する。
【００１７】
［灯具］
灯具１０は、照明器具１の本体部であり、照明光を出射する。図１に示すように、灯具１０は、器具本体１１と、発光部１２とを備える。器具本体１１は、発光部１２を支持する支持筐体である。器具本体１１は、例えば、略円錐台状の有底筒体であり、底部の取付面に発光部１２が取り付けられている。器具本体１１の底部の外側には、外方に向けて突出する複数の放熱フィンが設けられていてもよい。器具本体１１は、例えば、金属材料を用いて形成されており、例えばアルミダイカスト製である。
【００１８】
なお、図示しないが、器具本体１１の外側面には、取付バネが固定されている。取付バネと器具本体１１の鍔部とが天井材２を挟持することで、灯具１０が取付孔３に固定される。
【００１９】
本実施の形態では、図１に示すように、器具本体１１に取付具６０が固定されている。取付具６０は、例えば、取付ネジなどで固定されているが、これに限らない。器具本体１１と取付具６０とは一体に構成されていてもよい。
【００２０】
発光部１２は、ＬＥＤ（Ｌｉｇｈｔ  Ｅｍｉｔｔｉｎｇ  Ｄｉｏｄｅ）などの発光素子を有する発光モジュールである。発光部１２は、白色光などの可視光を照明光として出射する。発光部１２は、例えば、電源回路２０からの制御に基づいて調光及び調色が可能である。
【００２１】
発光部１２は、例えば、ＣＯＢ（Ｃｈｉｐ  Ｏｎ  Ｂｏａｒｄ）型の発光モジュールであるが、これに限らない。発光部１２は、ＳＭＤ（Ｓｕｒｆａｃｅ  Ｍｏｕｎｔ  Ｄｅｖｉｃｅ）型のＬＥＤを備える発光モジュールでもよい。あるいは、発光部１２は、有機ＥＬ（Ｅｌｅｃｔｒｏｌｕｍｉｎｅｓｃｅｎｓｅ）素子若しくは無機ＥＬ素子を備えてもよく、又は、蛍光灯などの放電ランプを備えてもよい。
【００２２】
［電源回路］
電源回路２０は、灯具１０に電力を供給する点灯回路である。電源回路２０は、電源筐体４０内に配置されている。電源回路２０は、プリント配線基板などの金属配線が形成された回路基板と、当該回路基板に実装された複数の回路素子とで構成されている。電源回路２０は、外部から受けた交流電力を直流電力に変換し、変換した直流電力を灯具１０の発光部１２に供給する。本実施の形態では、電源回路２０は、ケーブル５０を介して灯具１０の発光部１２に電力を供給する。
【００２３】
［無線通信装置］
無線通信装置３０は、無線通信を行うことで、電源回路２０の動作を制御するための制御信号を受信する。無線通信装置３０は、例えば、Ｗｉ−Ｆｉ（登録商標）、Ｂｌｕｅｔｏｏｔｈ（登録商標）又はＺｉｇＢｅｅ（登録商標）などの無線通信規格に基づいた無線通信を行う。例えば、無線通信装置３０は、３００ＭＨｚ〜３ＧＨｚのＵＨＦ（Ｕｌｔｒａ  Ｈｉｇｈ  Ｆｒｅｑｕｅｎｃｙ）帯の周波数を用いて無線通信を行う。無線通信装置３０は、制御装置又は無線通信機能を有する他の照明器具１などから制御信号を受信する。制御信号には、発光部１２の点灯、消灯、調光及び調色などの指示が含まれる。
【００２４】
無線通信装置３０は、制御信号を受信するアンテナ３１を有する。無線通信装置３０は、アンテナ３１が受信した制御信号に基づいて、電源回路２０を制御する。
【００２５】
アンテナ３１は、一次励磁用のアンテナであり、電源筐体４０に設けられたスリット４１を二次アンテナとして機能させる。アンテナ３１は、例えば、回路基板に設けられたパターンアンテナであるが、これに限定されない。
【００２６】
［電源筐体］
電源筐体４０は、電源回路２０及び無線通信装置３０を保持する筐体である。電源筐体４０は、電源回路２０及び無線通信装置３０を内部に収納し、塵埃及び水分などが電源回路２０及び無線通信装置３０に付着するのを抑制する。電源筐体４０は、電源回路２０などの回路が仮にショート（短絡）した場合においても火災などが発生するのを防止することを目的として、例えば、アルミニウムなどの金属材料を用いて形成されている。
【００２７】
電源筐体４０は、例えば、略直方体状などの長尺な筐体である。電源筐体４０の長手方向の一方の端部にケーブル５０が接続されている。他方の端部には、外部（商用電源）からの交流電力を受けるためのＡＣケーブル２１が接続されている。なお、電源筐体４０の形状は、略立方体状又は略円柱状でもよい。
【００２８】
本実施の形態では、電源筐体４０は、金属製の筐体であり、外側面に少なくとも１つのスリット４１が設けられている。スリット４１は、電源筐体４０の長手方向に沿って設けられている。
【００２９】
スリット４１は、無線通信装置３０のアンテナ３１と電磁的に結合されてスロットアンテナとして機能する。例えば、外部から送信された無線信号（電磁波）を受信する場合、当該無線信号によって、スリット４１の短辺方向に電界が発生する。これにより、スリット４１がアンテナとして機能し、受信した無線信号を内部のアンテナ３１に向けて放射する。また、アンテナ３１が無線信号（電磁波）を送信する場合も同様に、当該無線信号によってスリット４１の短辺方向に電界が発生する。これにより、スリット４１がアンテナとして機能し、無線信号を外部に放射する。
【００３０】
スリット４１は、長尺の略長方形状の開口（貫通孔）である。スリット４１の長手方向の長さは、例えば、無線通信の周波数に対応する波長λの略半波長（すなわち、λ／２）付近である。本実施の形態では、ＵＨＦ帯の周波数を利用するので、スリット４１の長手方向の長さは、５ｃｍ〜５０ｃｍである。
【００３１】
［ケーブル］
ケーブル５０は、灯具１０と電源筐体４０とを接続する。具体的には、ケーブル５０は、灯具１０と電源筐体４０とにそれぞれ固定されている。
【００３２】
本実施の形態では、ケーブル５０は、電力供給用の配線ケーブルである。このため、ケーブル５０は、電源筐体４０に収納された電源回路２０、及び、灯具１０の発光部１２と電気的に接続されている。
【００３３】
［取付具］
取付具６０は、灯具１０及び電源筐体４０の一方に固定され、他方を取り付け可能な部材である。本実施の形態では、取付具６０は、灯具１０に固定され、電源筐体４０を簡易的に取り付けることができる。例えば、取付具６０は、灯具１０に取付ネジなどによって固定されている。取付具６０は、例えば、アルミニウムなどの金属製の板材（板金）を折り曲げ加工することにより形成されている。
【００３４】
なお、本実施の形態において、固定とは、ネジなどの固定部材又は接着剤などを利用して２つの部材を動かないように取り付けることだけでなく、２つの部材が予め一体に形成されていることも含む。例えば、取付具６０は、灯具１０と一体に形成されていてもよい。具体的には、取付具６０は、アルミダイカスト製の器具本体１１の一部であってもよい。
【００３５】
本実施の形態では、取付具６０には、電源筐体４０が簡易的に固定されている。例えば、粘着テープなどを介して電源筐体４０が取付具６０に取り付けられる。あるいは、取付具６０に設けられた凹部又は貫通孔などに、電源筐体４０に設けられた凸部を係止させることで、取付具６０に電源筐体４０が取り付けられてもよい。
【００３６】
取付具６０は、一定以上の強度を有し、電源筐体４０を所定の姿勢で支持する。具体的には、取付具６０は、電源筐体４０の重さによっては変形せずに、取り付けられた電源筐体４０を取付時の姿勢で支持する。電源筐体４０の重さ以上の押し圧力が加えられた場合に、取付具６０は変形する。
【００３７】
具体的には、取付具６０は、可変保持機構を有する。可変保持機構は、取付具６０に簡易的に取り付けられる部材（具体的には、電源筐体４０）を互いに異なる複数の姿勢で保持する。複数の姿勢は、連続的に変化する姿勢でもよく、離散的に（段階的に）変化する姿勢でもよい。本実施の形態では、可変保持機構は、取付具６０の一部であって、押し圧力によって変形可能な部分である。変形は、例えば塑性変形であるが、弾性変形でもよい。
【００３８】
図１に示すように、取付具６０は、器具本体１１に固定されており、突出部６１を備える。突出部６１は、発光部１２の光軸に直交する方向（すなわち、天井材２に平行な方向）に突出している。突出部６１は、押し圧力によって変形可能な板状部である。突出部６１に電源筐体４０が取り付けられている。
【００３９】
突出部６１は、屈曲した板状の部分である。具体的には、突出部６１は、天井材２に平行な方向に延びる平板部６２と、平板部６２の先端から斜め下方に延びる平板部６３とを備える。図示しないが、平板部６３には、ケーブル５０を通すための貫通孔が設けられている。平板部６３は、器具本体１１から離れ、かつ、天井材２に近付く方向（斜め下方）に、平板部６２の先端から延びている。平板部６２に電源筐体４０が取り付けられることで、図１に示すように、電源筐体４０は、斜め上方に、すなわち、器具本体１１及び天井材２から離れる方向に長尺な姿勢になる。
【００４０】
これにより、照明器具１の全長（天井材２に平行な方向の長さ）が短くなるので、取付孔３への照明器具１の取り付けが容易になる。以下では、照明器具１の取り付け方法について、図２を用いて説明する。
【００４１】
［照明器具の設置］
図３は、本実施の形態に係る照明器具１の設置方法を説明するための側面図である。具体的には、図３は、天井材２の取付孔３に埋込配設する場合を示している。なお、天井材２は、天井５の下面を覆う装飾材の一例であり、例えば、石膏ボードである。照明器具１は、天井材２と天井５の間の空間に配置される。なお、天井材２と天井５との間の距離は、例えば１５０ｍｍであり、取付孔３の径は１００ｍｍである。
【００４２】
照明器具１を取り付ける場合、天井材２に設けられた取付孔３に、電源筐体４０、灯具１０の順に挿入する。具体的には、図３の（ａ）に示すように、電源筐体４０を立てた姿勢で（例えば、電源筐体４０の長手方向が取付孔３の貫通方向に沿うように）取付孔３に挿入する。電源筐体４０の先端は、天井５と天井材２との間が狭いために、取付孔３を挿入した後、図３の（ｂ）に示すように、天井５に接触する。
【００４３】
その後、灯具１０の姿勢を徐々に戻しながら、灯具１０を取付孔３に挿入する。このとき、図３の（ｃ）に示すように、電源筐体４０が天井５によって押されることで、取付具６０の突出部６１が変形する。具体的には、同図の白抜き矢印で示すように、電源筐体４０が取り付けられた平板部６３が器具本体１１に近付くように、突出部６１が屈曲する。
【００４４】
以上のようにして、図２に示すように、突出部６１が屈曲された状態で照明器具１が天井材２の取付孔３に取り付けられる。なお、図２には、取付具６０が屈曲する前の平板部６３及び電源筐体４０を破線で示している。
【００４５】
これにより、照明器具１を取付孔３に挿入する際は、照明器具１の全長を短くすることで挿入を容易に行うことができる。また、スロットアンテナとして機能するスリット４１を、天井材２に設けられた鋼材４から離すことができるので、通信性能の低下を抑制することができる。
【００４６】
なお、天井５と天井材２との間の距離が十分に大きい場合、照明器具１の取り付けの際に、電源筐体４０が天井５に接触しない。この場合、取付具６０は変形せず、電源筐体４０は、取付具６０によって、図１で示したように斜め上方に向けて支持されている。したがって、この場合も、スリット４１を鋼材４から離すことができるので、通信性能を維持することができる。
【００４７】
［効果など］
以上のように、本実施の形態に係る照明器具１は、照明光を出射する灯具１０と、灯具１０に電力を供給する電源回路２０と、無線通信を行うことで、電源回路２０の動作を制御するための制御信号を受信する無線通信装置３０と、電源回路２０及び無線通信装置３０を保持する電源筐体４０と、灯具１０と電源筐体４０とを接続するケーブル５０と、灯具１０に固定され、電源筐体４０を取り付け可能な取付具６０とを備え、取付具６０及び電源筐体４０の少なくとも一方は、電源筐体４０を互いに異なる複数の姿勢で保持する可変保持機構を有する。
【００４８】
これにより、照明器具１が可変保持機構を備えるので、照明器具１の取り付けの際に電源筐体４０の姿勢を変更することができる。例えば、電源筐体４０を取付孔３に挿入しやすい姿勢で取付孔３に挿入した後、無線通信性能が良くなる姿勢に電源筐体４０の姿勢を変更することができる。このように、本実施の形態によれば、容易に取り付け可能で、かつ、無線通信性能に優れた照明器具１を提供することができる。
【００４９】
また、例えば、可変保持機構は、取付具６０の一部であって、押し圧力によって形状が変形可能な部分である。
【００５０】
これにより、取付具６０の一部が変形することで、電源筐体４０の姿勢を変更することができる。このため、電源筐体４０及び灯具１０などの他の部材を変形させずに、電源筐体４０の姿勢を変更することができる。したがって、例えば、電源筐体４０による電源回路２０及び無線通信装置３０の保護を十分に行うことができ、また、灯具１０の光出射方向などが変化してしまうことなどが抑制され、信頼性の高い照明器具１を実現することができる。
【００５１】
また、例えば、可変保持機構は、取付具６０が備える、押し圧力によって変形可能な板状の突出部６１である。
【００５２】
これにより、押し圧力によって変形する部分（具体的には、突出部６１）が板状部であるので、比較的弱い押し圧力で突出部６１を変形させることができる。このため、電源筐体４０、灯具１０、天井５及び天井材２などの他の部材に大きな力が加えられるのを抑制することができるので、これらの部材の破損などを抑制することができる。
【００５３】
また、例えば、電源筐体４０は、外側面に少なくとも１つのスリット４１が設けられた金属製の筐体であり、少なくとも１つのスリット４１は、無線通信装置３０のアンテナ３１と電磁的に結合されてスロットアンテナとして機能する。
【００５４】
これにより、スリット４１をアンテナとして機能させることができるので、電源筐体４０の内部に収納された電源回路２０及び無線通信装置３０を保護しつつ、無線通信を行うことができる。
【００５５】
また、例えば、照明器具１は、天井材２に設けられた取付孔３に埋込配設される埋込型の照明器具である。
【００５６】
これにより、ダウンライトなどの天井埋込型の照明器具の場合は、天井材２上に張り巡らされた鋼材４の影響による無線通信性能の低下を起こしやすい。したがって、本実施の形態に係る照明器具１によれば、灯具１０と電源筐体４０とが一体に構成されており、電源筐体４０が天井材２に接触しない姿勢で維持することができるので、無線通信性能の低下を抑制することができる。
【００５７】
なお、本実施の形態では、取付具６０が灯具１０に固定され、電源筐体４０を取付可能である例について示したが、これに限らない。例えば、取付具６０は、電源筐体４０に固定され、灯具１０を取付可能であってもよい。すなわち、取付具６０は、灯具１０及び電源筐体４０の一方に固定され、他方を取付可能であればよい。
【００５８】
（実施の形態２）
続いて、実施の形態２について説明する。
【００５９】
図４は、本実施の形態に係る照明器具１０１の構成を示す側面図である。図４に示すように、本実施の形態に係る照明器具１０１は、実施の形態１に係る照明器具１と比較して、電源筐体４０及び取付具６０の代わりに、電源筐体１４０及び取付具１６０を備える点が相違する。以下では、実施の形態１との相違点を中心に説明し、共通点の説明を省略又は簡略化する。
【００６０】
図５は、本実施の形態に係る照明器具１０１が備える電源筐体１４０の斜視図である。図６は、本実施の形態に係る照明器具１０１が備える取付具１６０の斜視図である。
【００６１】
電源筐体１４０は、実施の形態１に係る電源筐体４０と同様に、電源回路２０及び無線通信装置３０を保持する筐体である。図４及び図５には示していないが、電源筐体１４０の内部に、電源回路２０及び無線通信装置３０が収納されている。また、電源筐体１４０の側面には、スロットアンテナとして機能するスリット４１が設けられている。
【００６２】
本実施の形態に係る電源筐体１４０は、図５に示すように、２つの挿入部１４２を備える。２つの挿入部１４２はそれぞれ、取付具１６０のヒンジ部１６３の回動に合わせて２つの貫通孔１６４の各々に挿入される。電源筐体１４０は、２つの挿入部１４２が取付具１６０の貫通孔１６５に挿入された状態で、取付部１６２に取り付けられる。このとき、電源筐体１４０に接続されたケーブル５０は、取付部１６２の貫通孔１６６に挿入されている。
【００６３】
本実施の形態では、図４及び図５に示すように、挿入部１４２は、固定部１６１に係止する突起１４３を有する。突起１４３は、取付具６０の回動を規制する。具体的には、本実施の形態では、挿入部１４２の側面に複数の突起１４３がドット状に設けられているが、これに限らない。例えば、１つの突起１４３がライン状に設けられていてもよい。
【００６４】
挿入部１４２には、貫通孔１６５からの脱離を防止するために取付部１６２に係止する係止部１４４が設けられていてもよい。係止部１４４は、例えば小さい突起である。挿入部１４２を貫通孔１６５に挿入する際には、挿入部１４２及び取付部１６２のいずれかが弾性変形することにより、係止部１４４を越えて挿入部１４２の根元まで貫通孔１６５に挿入される。これにより、係止部１４４と電源筐体１４０との間に取付部１６２が位置することになり、係止部１４４が取付部１６２に係止することによって、電源筐体１４０の脱離を抑制することができる。
【００６５】
取付具１６０は、いわゆる蝶番型の金具であり、図６に示すように、固定部１６１と、取付部１６２と、ヒンジ部１６３とを備える。なお、図６では、取付具１６０の灯具１０から側方に突出した部分のみを図示している。すなわち、固定部１６１は、一部のみが図示されている。取付具１６０は、金属製であるが、樹脂製でもよい。
【００６６】
固定部１６１は、灯具１０に固定される平板部である。例えば、固定部１６１は、器具本体１１の上面に取付ネジなどによって固定されている。固定部１６１には、２つの貫通孔１６４が設けられている。２つの貫通孔１６４には、電源筐体１４０の２つの挿入部１４２がそれぞれ挿入される。２つの貫通孔１６４は、例えば、長尺のスリット状の開口であるが、これに限らない。貫通孔１６４の形状、大きさ及び個数は、電源筐体１４０の挿入部１４２の形状、大きさ及び個数に応じて設計されている。
【００６７】
取付部１６２は、電源筐体４０に取り付けられる平板部である。取付部１６２は、ヒンジ部１６３によって、固定部１６１に対して回動可能に支持されている。取付部１６２には、２つの挿入部１４２がそれぞれ挿入される２つの貫通孔１６５と、ケーブル５０が挿入される貫通孔１６６とが設けられている。貫通孔１６５と固定部１６１の貫通孔１６４とは、ヒンジ部１６３の軸に直交する同一面に設けられている。つまり、固定部１６１と取付部１６２とがヒンジ部１６３を軸として回動した場合に、貫通孔１６４及び貫通孔１６５は重なるように設けられている。
【００６８】
ヒンジ部１６３は、固定部１６１と取付部１６２とを回動可能に支持する可変保持機構の一例である。本実施の形態では、ヒンジ部１６３による回動の範囲は、挿入部１４２の突起１４３が固定部１６１に係止することで、固定部１６１と取付部１６２とが接近しすぎないように規制されるが、これに限らない。例えば、固定部１６１と取付部１６２とがなす角度が９０°より小さくならないように規制されてもよい。つまり、電源筐体１４０が、その長手方向が天井材２に対して略平行になる姿勢で保持されるように、ヒンジ部１６３による回動が規制されてもよい。ヒンジ部１６３には、例えば、回動を規制するバネなどの弾性材を有してもよい。
【００６９】
［照明器具の設置］
図７は、本実施の形態に係る照明器具１０１が設置された状態を示す側面図である。なお、図７には、取付具１６０が回動する前の電源筐体１４０を破線で示している。
【００７０】
本実施の形態では、取付具１６０の固定部１６１と取付部１６２とが回動可能であるので、灯具１０に対して電源筐体１４０の姿勢が変更可能になる。このため、取付孔３に挿入する際には、図３と同様に、照明器具１０１の全長が短くなるように、電源筐体１４０を灯具１０に対して斜め上方の姿勢にすることができる（図７の破線）。
【００７１】
取付孔３に挿入された後は、電源筐体１４０の自重によって、又は、電源筐体１４０が天井５に押されることによって（図３で説明した場合と同様）、取付部１６２がヒンジ部１６３を軸として回動する。電源筐体１４０の挿入部１４２は、固定部１６１の貫通孔１６４内をスライド挿入される。突起１４３が固定部１６１に係止することで、電源筐体１４０の回動が停止する。
【００７２】
これにより、図７に示すように、電源筐体１４０を、その長手方向が天井材２に略平行になる姿勢で保持することができる。
【００７３】
［効果など］
以上のように、本実施の形態に係る照明器具１０１では、例えば、取付具１６０は、灯具１０に固定される固定部１６１と、電源筐体１４０に取り付けられる取付部１６２とを備え、可変保持機構は、固定部１６１と取付部１６２とを回動可能に支持するヒンジ部１６３である。
【００７４】
これにより、固定部１６１が固定される灯具１０に対して、取付部１６２に取り付けられる電源筐体１４０を回動させることができる。つまり、灯具１０に対する電源筐体１４０の姿勢を、ヒンジ部１６３を軸とした回転方向における範囲内で変更することができる。したがって、照明器具１０１の取り付けの際に、電源筐体１４０を取付孔３に挿入しやすい姿勢に容易に変更することができるので、照明器具１０１の取り付けを容易に行うことができる。
【００７５】
また、例えば、固定部１６１には、貫通孔１６４が設けられ、電源筐体１４０は、ヒンジ部１６３の回動に合わせて貫通孔１６４に挿入される挿入部１４２を備え、挿入部１４２は、固定部１６１に係止する突起１４３を有する。
【００７６】
これにより、突起１４３によって電源筐体１４０の回動を規制することができるので、例えば、電源筐体１４０を天井材２に略平行な姿勢で保持することができる。したがって、電源筐体１４０に設けられたスリット４１が天井材２に接触するのを抑制することができ、無線通信性能を高めることができる。
【００７７】
なお、本実施の形態では、取付具１６０が灯具１０に固定され、電源筐体１４０を取付可能である例について示したが、これに限らない。例えば、取付具１６０は、電源筐体１４０に固定され、灯具１０を取り付け可能であってもよい。
【００７８】
（実施の形態３）
続いて、実施の形態３について説明する。
【００７９】
図８は、本実施の形態に係る照明器具２０１の構成を示す側面図である。図８に示すように、本実施の形態に係る照明器具２０１は、実施の形態１に係る照明器具１と比較して、電源筐体４０及び取付具６０の代わりに、電源筐体２４０及び取付具２６０を備える点が相違する。以下では、実施の形態１との相違点を中心に説明し、共通点の説明を省略又は簡略化する。
【００８０】
図９は、本実施の形態に係る照明器具２０１が備える電源筐体２４０の斜視図である。図１０は、本実施の形態に係る照明器具２０１が備える取付具２６０の斜視図である。
【００８１】
電源筐体２４０は、実施の形態１に係る電源筐体４０と同様に、電源回路２０及び無線通信装置３０を保持する筐体である。図８及び図９には示していないが、電源筐体２４０の内部に、電源回路２０及び無線通信装置３０が収納されている。また、電源筐体２４０の側面には、スロットアンテナとして機能するスリット４１が設けられている。
【００８２】
本実施の形態に係る電源筐体２４０は、図８及び図９に示すように、凸部２４２と、雄ねじ部２４３とを備える。
【００８３】
凸部２４２は、取付具２６０の複数の貫通孔２６３の１つに選択的に挿入される凸部である。凸部２４２は、電源筐体２４０の姿勢決め（位置決め）用に設けられている。
【００８４】
雄ねじ部２４３は、電源筐体２４０を取付部２６２に取り付けるための取り付け機構の一例である。雄ねじ部２４３は、取付具２６０の貫通孔２６４に挿入される。雄ねじ部２４３は、貫通孔２６４に挿入され、取付部２６２を挟んだ状態で雌ねじ部２４４（図８を参照）によってネジ締めされる。
【００８５】
これにより、電源筐体２４０を取付具２６０に簡易的に取り付けることができる。例えば、照明器具１を取り付ける際に、電源筐体２４０が天井５に引っかかるなど、取り付けがうまくいかない場合、容易に電源筐体２４０の取り付け姿勢を変更することができる。
【００８６】
取付具２６０は、いわゆるＬ型金具であり、図８及び図１０に示すように、固定部２６１と、取付部２６２とを備える。なお、図１０では、取付具２６０の灯具１０から側方に突出した部分のみを図示している。すなわち、固定部２６１は、一部のみが図示されている。取付具２６０は、金属製であるが、樹脂製でもよい。取付具２６０は、例えば、板金を折り曲げ加工又はプレス加工することにより形成される。
【００８７】
固定部２６１は、灯具１０に固定される平板部である。例えば、固定部２６１は、器具本体１１の上面に取付ネジなどによって固定されている。
【００８８】
取付部２６２は、電源筐体２４０に取り付けられる平板部である。取付部２６２は、固定部２６１と一体に形成されている。取付部２６２と固定部２６１とがなす角度は略９０°であるが、これに限らない。例えば、取付具２６０（固定部２６１）が灯具１０に固定された場合に、取付部２６２は、灯具１０の光軸に略平行な姿勢になる。
【００８９】
取付部２６２には、図１０に示すように、複数の貫通孔２６３が設けられている。複数の貫通孔２６３は、取付具２６０が備える複数の凹部の一例であり、本実施の形態に係る照明器具２０１が備える可変保持機構である。複数の貫通孔２６３には、電源筐体２４０の凸部２４２が挿入される。なお、本実施の形態では、貫通孔２６３は、取付部２６２を厚み方向に貫通しているが、これに限らない。貫通孔２６３は、底を有する凹部でもよい。また、貫通孔２６３の形状は、円形に限らず、楕円又は矩形でもよい。また、貫通孔２６３は、切り欠き状のスリットでもよい。
【００９０】
複数の貫通孔２６３は、灯具１０の光軸に沿った方向に並んで配置されている。本実施の形態では、複数の貫通孔２６３は、上下方向に並んで配置されている。図１０には、上から順に、４つの貫通孔２６３ａ〜２６３ｄが並んで配置されている例を示している。
【００９１】
なお、複数の貫通孔２６３の個数及び配置は、これに限定されない。貫通孔２６３の個数は、電源筐体２４０の取り付け姿勢の変更可能な数に相当する。貫通孔２６３の配置は、電源筐体２４０の取り付け姿勢（位置）の変更範囲に相当する。本実施の形態では、４つの貫通孔２６３ａ〜２６３ｄが上下方向に並んで配置されているので、電源筐体２４０を４段階で上下に位置を変更することができる。
【００９２】
本実施の形態では、取付部２６２には、さらに、図１０に示すように、貫通孔２６４が設けられている。貫通孔２６４には、電源筐体２４０の雄ねじ部２４３及びケーブル５０が挿入される。貫通孔２６４は、電源筐体２４０の凸部２４２が複数の貫通孔２６３のいずれに挿入された場合でも、雄ねじ部２４３及びケーブル５０が挿入可能な形状を有する。具体的には、貫通孔２６４は、複数の貫通孔２６３が並ぶ方向に長尺の貫通孔である。なお、貫通孔２６４は、切り欠き状のスリットでもよい。
【００９３】
［照明器具の設置］
ここで、本実施の形態に係る照明器具２０１の天井材２の取付孔３への設置方法について、図１１Ａ及び図１１Ｂを用いて説明する。
【００９４】
図１１Ａ及び図１１Ｂは、本実施の形態に係る照明器具２０１の設置方法において、取付具２６０の所定位置に取り付けた電源筐体２４０を取付孔３に挿入する様子を示す側面図である。なお、図１１Ａと図１１Ｂとでは、取付具２６０への電源筐体２４０の取り付け位置が異なっている。電源筐体２４０の取り付け位置の違いが及ぼす効果を分かりやすくするため、灯具１０の姿勢は、図１１Ａと図１１Ｂとで同じにしている。
【００９５】
他の実施の形態と同様に、電源筐体２４０（具体的には、スリット４１）が天井材２（具体的には、鋼材４）から離すことで、無線通信性能の低下をより抑制することができる。このため、例えば、図８及び図１１Ａに示すように、凸部２４２は一番上の貫通孔２６３ａに挿入されて、電源筐体２４０が最も高い位置（天井材２から離れた位置）で取付具２６０に取り付ける。この場合、図１１Ａに示すように、灯具１０が天井材２に２ヶ所で衝突しているだけでなく、電源筐体４０の先端が天井５に衝突する。つまり、照明器具２０１が天井材２及び天井５に衝突しやすく、取付孔３への挿入が難しい。
【００９６】
そこで、電源筐体２４０の取付具２６０への取り付け位置を変更する。具体的には、一度、途中まで挿入した取付孔３から照明器具１を取り出して、雌ねじ部２４４を取り外すことで、電源筐体２４０を取付具２６０から取り外す。そして、電源筐体２４０の凸部２４２を、貫通孔２６３ｂ〜２６３ｄのいずれかに挿入する。例えば、電源筐体２４０の凸部２４２を取付具２６０の貫通孔２６３ｃに挿入する。
【００９７】
この場合、図１１Ｂに示すように、灯具１０が天井材２に２ヶ所で衝突したとしても、電源筐体２４０の位置が変更されているので、天井５には衝突しない。このように、挿入時の衝突箇所を少なくすることができるので、照明器具２０１を容易に設置することができる。
【００９８】
［効果など］
以上のように、本実施の形態に係る照明器具２０１では、例えば、可変保持機構は、取付具２６０が備える複数の貫通孔２６３（凹部）であり、電源筐体２４０は、複数の貫通孔２６３の１つに選択的に挿入される凸部２４２を備える。
【００９９】
これにより、複数の貫通孔２６３から１つを選択して、選択した貫通孔２６３に凸部２４２を挿入することで、電源筐体２４０を複数の姿勢で取付具２６０に取り付けることができる。貫通孔２６３の個数及び配置によって、電源筐体２４０の取り付け姿勢（位置）を容易に変更することができる。
【０１００】
また、例えば、複数の貫通孔２６３は、灯具１０の光軸に沿った方向に並んで配置されている。
【０１０１】
これにより、灯具１０の光軸に沿った方向に電源筐体２４０の取り付け位置を変更することができる。例えば、ダウンライトなどの埋込型の照明器具の場合には、電源筐体２４０を天井材２（造営材）に近づけた位置、又は、天井材２から遠ざけた位置などに固定することができる。
【０１０２】
なお、本実施の形態では、複数の貫通孔（凹部）２６３を取付具２６０に設け、電源筐体２４０に凸部２４２を設けたが、これに限らない。電源筐体２４０に複数の凹部（貫通孔）を設け、取付具２６０に凸部を設けてもよい。このとき、電源筐体２４０に設ける凹部は、電源筐体２４０の側壁を貫通していなくてもよい。
【０１０３】
また、本実施の形態では、雄ねじ部２４３と雌ねじ部２４４とによって電源筐体２４０を取付具２６０に固定したが、これに限らない。例えば、凸部２４２に取付具２６０に係止する係止部（突起など）が設けられ、当該係止部が取付具２６０に係止することで、電源筐体２４０が取付具２６０に取り付けられてもよい。
【０１０４】
（実施の形態４）
続いて、実施の形態４について説明する。
【０１０５】
図１２は、本実施の形態に係る照明器具３０１の構成を示す側面図である。図１２に示すように、本実施の形態に係る照明器具３０１は、実施の形態１に係る照明器具１と比較して、電源筐体４０及び取付具６０の代わりに、電源筐体３４０及び取付具３６０を備える点が相違する。以下では、実施の形態１との相違点を中心に説明し、共通点の説明を省略又は簡略化する。
【０１０６】
図１３は、本実施の形態に係る照明器具３０１が備える電源筐体３４０の斜視図である。図１４は、本実施の形態に係る照明器具３０１が備える取付具３６０の斜視図である。
【０１０７】
電源筐体３４０は、実施の形態１に係る電源筐体４０と同様に、電源回路２０及び無線通信装置３０を保持する筐体である。図１３及び図１４には示していないが、電源筐体３４０の内部に、電源回路２０及び無線通信装置３０が収納されている。また、電源筐体３４０の側面には、スロットアンテナとして機能するスリット４１が設けられている。
【０１０８】
本実施の形態に係る電源筐体３４０は、図１２及び図１３に示すように、平板部３４２を備える。平板部３４２は、押し圧力によって変形可能な可変保持機構の一例である。本実施の形態では、平板部３４２は、電源筐体３４０の長手方向の端部から外方に向けて突出して設けられている。具体的には、平板部３４２は、ケーブル５０が接続された面に設けられている。
【０１０９】
平板部３４２は、取付具３６０が備える貫通孔３６４に係止する係止部３４３を有する。係止部３４３は、例えば、貫通孔３６４に挿入されて係止する返しを有する突起である。
【０１１０】
平板部３４２は、例えば、樹脂材料又は金属材料を用いて形成されている。なお、平板部３４２は、電源筐体３４０と一体に形成されていてもよい。すなわち、電源筐体３４０の一部が平板部３４２であってもよい。平板部３４２は、例えば、板バネであり、弾性変形する。
【０１１１】
図１５は、本実施の形態に係る照明器具３０１の設置前の状態を示す側面図である。図１５に示すように、平板部３４２は、力を加えた場合に変形する。これにより、実施の形態１と同様に、電源筐体３４０を取付孔３に挿入しやすくなり、照明器具１の取り付けを容易に行うことができる。
【０１１２】
取付具３６０は、いわゆるＬ型金具であり、図１２及び図１４に示すように、固定部３６１と、取付部３６２とを備える。なお、図１４では、取付具３６０の灯具１０から側方に突出した部分のみを図示している。すなわち、固定部３６１は、一部のみが図示されている。取付具３６０は、金属製であるが、樹脂製でもよい。取付具３６０は、例えば、板金を折り曲げ加工又はプレス加工することにより形成される。
【０１１３】
固定部３６１は、灯具１０に固定される平板部である。例えば、固定部３６１は、器具本体１１の上面に取付ネジなどによって固定されている。
【０１１４】
固定部３６１には、貫通孔３６４が設けられている。貫通孔３６４は、電源筐体３４０の平板部３４２の係止部３４３が挿入される凹部の一例である。貫通孔３６４は、固定部３６１を厚み方向に貫通しており、一方の面（下面）側から挿入された係止部３４３が固定部３６１の他方の面に係止する。
【０１１５】
取付部３６２は、電源筐体３４０に取り付けられる平板部である。取付部３６２は、固定部３６１と一体に形成されている。取付部３６２と固定部３６１とがなす角度は略９０°であるが、これに限らない。例えば、取付具３６０（固定部３６１）が灯具１０に固定された場合に、取付部３６２は、灯具１０の光軸に略平行な姿勢になる。
【０１１６】
取付部３６２には、貫通孔３６３が設けられている。貫通孔３６３には、平板部３４２が挿入される。平板部３４２が貫通孔３６３に挿入され、かつ、平板部３４２の係止部３４３が貫通孔３６４に挿入されて係止することで、平板部３４２が取付具３６０に取り付けられる。
【０１１７】
なお、本実施の形態では、図１２に示すように、ケーブル５０は、取付部３６２の下方を通って灯具１０に接続されているが、これに限らない。平板部３４２には、ケーブル５０を通すための貫通孔が設けられていてもよい。
【０１１８】
［効果など］
以上のように、本実施の形態に係る照明器具３０１では、可変保持機構は、電源筐体３４０の一部であって、押し圧力によって形状が変形可能な部分である。
【０１１９】
これにより、電源筐体３４０の一部が変形することで、電源筐体３４０の姿勢を変更することができる。このため、灯具１０などの他の部材を変形させずに、電源筐体３４０の姿勢を変更することができる。したがって、例えば、灯具１０の光出射方向などが変化してしまうことなどが抑制され、信頼性の高い照明器具３０１を実現することができる。
また、例えば、可変保持機構は、電源筐体３４０が備える、押し圧力によって変形可能な板状の平板部３４２であり、平板部３４２は、取付具３６０が備える貫通孔３６３（凹部）に係止する係止部３４３を有する。
【０１２０】
これにより、平板部３４２が、押し圧力によって変形する部分であるので、比較的弱い押し圧力で平板部３４２を変形させることができる。このため、電源筐体３４０、灯具１０、天井５及び天井材２などの他の部材に大きな力が加えられるのを抑制することができるので、これらの部材の破損などを抑制することができる。
【０１２１】
なお、本実施の形態では、平板部３４２に突起状の係止部３４３が設けられ、取付具３６０に貫通孔３６４が設けられているが、これに限らない。例えば、取付具３６０に凸部が設けられ、平板部３４２に当該凸部が挿入されて係止する凹部（又は貫通孔）が設けられていてもよい。
【０１２２】
（実施の形態５）
続いて、実施の形態５に係る照明システムについて、図１６を用いて説明する。
【０１２３】
図１６は、本実施の形態に係る照明システム４００の構成を示す機能ブロック図である。図１６に示すように、本実施の形態に係る照明システム４００は、制御装置４１０と、複数の照明器具１とを備える。
【０１２４】
制御装置４１０は、例えば、タブレット型の携帯端末装置であり、複数の照明器具１の各々を制御する。制御装置４１０は、図１６に示すように、制御部４１１と、無線通信部４１２とを備える。
【０１２５】
制御部４１１は、複数の照明器具１に対する各種指示を含む制御信号を生成し、生成した制御信号を、無線通信部４１２を介して複数の照明器具１に送信する。また、制御部４１１は、無線通信部４１２を介して照明器具１からの応答を受信する。
【０１２６】
無線通信部４１２は、複数の照明器具１の各々の無線通信装置３０と無線通信を行うことで、制御信号を送信する。
【０１２７】
複数の照明器具１はそれぞれ、実施の形態１で示したように、灯具１０と、電源筐体４０と、取付具６０とを備える。灯具１０と電源筐体４０とは、取付具６０によって接続されている。灯具１０は、発光部１２を備え、照明光を出射する。電源筐体４０は、電源回路２０と、無線通信装置３０とを収納している。
【０１２８】
本実施の形態では、複数の照明器具１のうち一の照明器具１の無線通信装置３０は、他の少なくとも１つの照明器具１の無線通信装置３０と無線通信を行う。具体的には、複数の照明器具１の各々の無線通信装置３０は、自身の通信範囲内に位置する他の照明器具１との間で無線通信を行う。例えば、無線通信装置３０は、制御装置４１０から送信された制御信号の中継などを行う。
【０１２９】
以上のように、本実施の形態に係る照明システム４００は、例えば、照明器具１を複数備え、複数の照明器具１のうち一の照明器具の無線通信装置３０は、他の少なくとも１つの照明器具１の無線通信装置３０と無線通信を行う。
【０１３０】
これにより、例えば、制御信号の中継などを行うことができるので、制御装置４１０の通信範囲に属さない照明器具１にまで、制御信号を伝送することができる。
【０１３１】
なお、照明システム４００は、実施の形態１に係る照明器具１ではなく、実施の形態２〜４に係る照明器具１０１、２０１又は３０１を複数備えてもよい。また、照明システム４００は、照明器具１、１０１、２０１及び３０１の各々を備えてもよい。
【０１３２】
（その他）
以上、本発明に係る照明器具及び照明システムについて、上記の実施の形態に基づいて説明したが、本発明は、上記の実施の形態に限定されるものではない。
【０１３３】
例えば、上記の実施の形態では、電源筐体４０の側面に１本のスリット４１が設けられた例について示したが、スリット４１は複数設けられていてもよい。例えば、電源筐体４０の対向（背向）する２面に略同じ長さの一対のスリット４１が設けられていてもよい。
【０１３４】
また、例えば、上記の実施の形態では、電源筐体４０に設けられたスリット４１がスロットアンテナとして機能する例について示したが、これに限らない。例えば、電源筐体４０に開口を設け、当該開口からアンテナのみ又はアンテナの一部を外部に露出させてもよい。また、無線通信装置３０は、電源筐体４０に収納されていなくてもよく、電源筐体４０の外側に取り付けられていてもよい。
【０１３５】
また、例えば、上記の実施の形態では、照明器具１が天井埋込型のダウンライトである例について示したが、これに限らない。例えば、照明器具１は、天井材２の代わりに、壁材、床材又は柱材などの他の造営材に埋め込み配設されてもよい。あるいは、照明器具１は、埋込型の照明器具に限られず、電源筐体が灯具とは分離された（ケーブルのみで接続された）スポットライトなどの他の照明器具でもよい。
【０１３６】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１３７】
１、１０１、２０１、３０１  照明器具
２  天井材（造営材）
３  取付孔
１０  灯具
２０  電源回路
３０  無線通信装置
３１  アンテナ
４０、１４０、２４０、３４０  電源筐体（筐体）
４１  スリット
５０  ケーブル
６０、１６０、２６０、３６０  取付具
６１  突出部（平板部（可変保持機構））
１４２  挿入部
１４３  突起
１６１、２６１、３６１  固定部
１６２、２６２、３６２  取付部
１６３  ヒンジ部
１６４  貫通孔
２４２  凸部
２６３、２６３ａ、２６３ｂ、２６３ｃ、２６３ｄ、３６４  貫通孔（凹部）
３４２  平板部
３４３  係止部
４００  照明システム
【図１】
2018129223.tif 000003
【図２】
2018129223.tif 000004
【図３】
2018129223.tif 000005
【図４】
2018129223.tif 000006
【図５】
2018129223.tif 000007
【図６】
2018129223.tif 000008
【図７】
2018129223.tif 000009
【図８】
2018129223.tif 000010
【図９】
2018129223.tif 000011
【図１０】
2018129223.tif 000012
【図１１Ａ】
2018129223.tif 000013
【図１１Ｂ】
2018129223.tif 000014
【図１２】
2018129223.tif 000015
【図１３】
2018129223.tif 000016
【図１４】
2018129223.tif 000017
【図１５】
2018129223.tif 000018
【図１６】
2018129223.tif 000019